(57)【要約】【課題】簡素な構成で不正を防止できる遊技機を提供する。【解決手段】第４ハーネス２４の配線２４Ａの他端側に第４他端側コネクタ２４Ｃが設けられている。第４他端側コネクタ２４Ｃには、演出制御基板１４の第４他端側被接続部１４Ｂに設けられた突起部に係止される他端側係止爪が設けられ、他端側押込部２４Ｉを押し込むことにより、他端側係止爪の突起部に対する係止状態が解除される。配線２４Ａの一端側は、遊技制御基板に接続されている。配線２４Ａは、右第１案内部材５１Ｂによって他端側押込部２４Ｉ側に向けて案内されている。【選択図】図５
2019126631.tif 000002
【特許請求の範囲】
【請求項１】
遊技を行う遊技機であって、
配線と、
前記配線の一端が接続される被接続部と、
前記配線と前記被接続部の接続を係止する係止手段と、
前記係止手段による係止を解除するために操作される解除操作部と、を備え、
前記配線の他端は、前記配線の一端と前記被接続部との接続箇所に対し、前記操作解除部が配置される方向と異なる方向に設けられる所定位置に接続されており、
前記配線は、前記接続箇所から前記解除操作部の操作を阻害する位置に案内されていることを特徴とする遊技機。
【発明の詳細な説明】
【技術分野】
【０００１】
本発明は、パチンコ遊技機やスロットマシン等の遊技機に関する。
【背景技術】
【０００２】
パチンコ遊技機やスロットマシンには、電源、遊技の進行や演出内容を制御する各種基板などが設けられている。これらの電源や各種基板を接続するハーネスのコネクタが挿抜されると、不正な信号の介入などによる不正の原因となる。そこで、コネクタの挿抜（挿脱）を規制するコネクタ規制部材を備える遊技機がある（例えば、特許文献１参照）。
【先行技術文献】
【特許文献】
【０００３】
【特許文献１】特開２００８−１５４８２７号公報
【発明の概要】
【発明が解決しようとする課題】
【０００４】
しかし、遊技機には複数のコネクタが設けられており、これらのコネクタごとにコネクタ規制部材を取り付けると、部材点数が増加して構成が複雑になる問題がある。
【０００５】
そこで、本発明の課題は、簡素な構成で不正を防止できる遊技機を提供することである。
【課題を解決するための手段】
【０００６】
（１）本発明の遊技機は、遊技を行う遊技機（例えば、スロットマシン１等）であって、
配線（例えば、配線２４Ａ等）と、
前記配線の一端（例えば、第４一端側コネクタ２４Ｂ等）が接続される被接続部（例えば、演出制御基板１４の第４他端側被接続部１４Ｂ等）と、
前記配線と前記被接続部の接続を係止する係止手段（例えば、他端側係止爪及び第４他端側被接続部１４Ｂに設けられた突起等）と、
前記係止手段による係止を解除するために操作される解除操作部（例えば、他端側押込部２４Ｉ等）と、を備え、
前記配線の他端（例えば、第４一端側コネクタ２４Ｂ等）は、前記配線の一端と前記被接続部との接続箇所（例えば、第４一端側コネクタ２４Ｂと第４他端側被接続部１４Ｂとの接続箇所等）に対し、前記操作解除部が配置される方向と異なる方向に設けられる所定位置（例えば、演出制御基板１４の第４他端側被接続部１４Ｂから見て、他端側押込部２４Ｉが配置された側と異なる方向に設けられた遊技制御基板１３の第４一端側被接続部１３Ｃ等）に接続されており、
前記配線は、前記接続箇所から前記解除操作部の操作を阻害する位置に案内されている（例えば、第４一端側コネクタ２４Ｂと第４他端側被接続部１４Ｂとの接続箇所から他端側押込部２４Ｉ側に向けて案内されている等）ことを特徴とする。
【０００７】
このような構成によれば、簡素な構成で不正を防止できる
【０００８】
（２）上記（１）に記載の遊技機において、前記配線を前記接続箇所から前記解除操作部側に案内する案内部（例えば、左第１案内部材５１Ａ、右第１案内部材５１Ｂ、第２案内部材５２、第３案内部材５３等）が設けられていてもよい。
【０００９】
このような構成によれば、簡素な構成で不正を防止できる。
【００１０】
（３）上記（１）または（２）の遊技機において、前記配線は、電源電流（例えば、第１ハーネス２１を流れる電源電流等）及び遊技進行に用いる信号（例えば、第４ハーネス２４を流れる遊技の進行に関する遊技信号、第５ハーネス２５を流れる操作関連信号等）の少なくとものいずれか一方を伝達するようにしてもよい。
【００１１】
このような構成によれば、簡素な構成で不正を防止できる。
【００１２】
（４）上記（１）〜（３）のいずれかの遊技機において、前記係止手段は、カバー（例えば、遊技制御基板１３を封入する遊技基板ケース、演出制御基板１４を封入する基板ケース、左第１案内部材５１Ａ、右第１案内部材５１Ｂ、第２案内部材５２、第３案内部材５３を収容するカバー等）によって覆われているようにしてもよい。
【００１３】
このような構成によれば、解除操作がしにくくなり、不正を防止できる。
【００１４】
（５）上記（１）〜（４）のいずれかの遊技機において、前記配線の幅は、前記操作解除部の幅よりも広くされている（例えば、横方向に広げて全体的に平板状に並べられた複数の配線２１Ａの幅は、一端側押込部２１Ｆ及び他端側押込部２１Ｉの幅よりも広くされている等）ようにしてもよい。
【００１５】
このような構成によれば、解除操作部が全体的に配線に隠されるので、不正を好適に防止できる。
【００１６】
（６）上記（１）〜（５）のいずれかの遊技機において、前記解除操作部は、前記配線が接続された基板の端側を向いて配置されている（例えば、第５ハーネス２５における他端側押込部２５Ｉは、操作部基板１５の端側を向いて配置されている等）ようにしてもよい。
【００１７】
このような構成によれば、操作性を高めることができる。
【００１８】
（７）上記（１）〜（６）のいずれかの遊技機において、前記被接続部が複数設けられた基板を備え、
前記被接続部に接続される複数の配線のそれぞれにおける複数の解除操作部は、いずれも同じ側に配置されている（例えば、遊技制御基板１３に接続された第５一端側コネクタ２５Ｂ、第２他端側コネクタ２２Ｃ、及び第４一端側コネクタ２４Ｂに設けられた一端側押込部は、いずれも同じ側（上側）に配置されている等）ようにしてもよい。
【００１９】
このような構成によれば、簡素な構成で不正を防止できる。
【図面の簡単な説明】
【００２０】
【図１】遊技機における前面扉を開いた状態を示す斜視図である。
【図２】筐体内における基板等及びハーネスの配置を説明する図である。
【図３】第１ハーネスの斜視図である。
【図４】（Ａ）は電源分岐基板の斜視図、（Ｂ）は遊技制御基板の斜視図である。
【図５】（Ａ）は、右第１案内部材で第４ハーネスの配線を案内する状態の斜視図、（Ｂ）は、第２案内部材で第５ハーネスの配線を案内する状態の斜視図、（Ｃ）は、第３案内部材５３で第５ハーネス２５の配線２５Ａを案内する状態の斜視図である。遊技機における前面扉を開いた状態の遊技制御基板と演出制御基板の間の拡大斜視図である。
【図６】ハーネスと基板との接続態様の他の例を示す斜視図である。
【発明を実施するための形態】
【００２１】
本発明に係る遊技機の一例であるスロットマシンを実施するための形態を以下に説明する。なお、以下の実施形態において、前後左右については、遊技者側から見た方向を示す。例えば、「右側」、「左側」、「手前側」、「奥側」、「表側」、「裏側」は、いずれも遊技者側から見た方向をいう。また、各図面の寸法等については、実際の寸法等と異なることがある。
【００２２】
図１は、遊技機における前面扉を開いた状態を示す斜視図、図２は、筐体内における基板等及びハーネスの配置を説明する図である。図１に示すように、本実施の形態のスロットマシン１は、前面が開口する筐体１ａと、この筐体１ａの側端に回動自在に枢支された前面扉１ｂとから構成されている。筐体１ａは、手前側が開放され、右側板、左側板、上側板、下側板、及び奥側板に囲まれて形成されている。前面扉１ｂは、筐体１ａに対して回動することによって、筐体１ａの手前側の開口を開閉することができる。
【００２３】
本実施例のスロットマシン１の筐体１ａの内部には、リールユニット２及びホッパーユニット４が設けられている。リールユニット２は、外周に複数種の図柄が配列されたリール２Ｌ、２Ｃ、２Ｒ（以下、左リール、中リール、右リール）が水平方向に並設されており、図１に示すように、これらリール２Ｌ、２Ｃ、２Ｒに配列された図柄のうち連続する３つの図柄が前面扉１ｂに設けられた透視窓３から見えるように配置されている。
【００２４】
各リール２Ｌ、２Ｃ、２Ｒは、各々対応して設けられたリールモータによって回転されることで、各リール２Ｌ、２Ｃ、２Ｒの図柄が透視窓３に連続的に変化しつつ表示される一方で、各リール２Ｌ、２Ｃ、２Ｒの回転が停止されることで、透視窓３に３つの連続する図柄が表示結果として導出表示されるようになっている。
【００２５】
ホッパーユニット４は、ホッパータンクを備えている。ホッパータンクは、スロットマシン１内に投入されたメダルを貯留しているホッパータンクの側方には、オーバーフロータンク５が設けられており、オーバーフロータンク５には、ホッパータンクから溢れたメダルが貯留される。
【００２６】
筐体１ａの内部には、図２にも示すように、電源ユニット１１、電源分岐基板１２、遊技制御基板１３、演出制御基板１４、操作部基板１５、サブ中継基板１６、及びドア下中継基板１７が設けられている。電源ユニット１１は、筐体１ａの左下側に載置されており、電源分岐基板１２は、筐体１ａにおける左側板に固定されて取り付けられている。電源ユニット１１は、スロットマシン１の外部から電力の供給を受け入れる。電源分岐基板１２は、電源ユニット１１によって供給を受けた電力を各基板に振り分ける。電源分岐基板１２は、リールユニット２の側方に設けられている。このため、電源分岐基板１２は、筐体１ａ内において視認しにくい位置に配置されている。
【００２７】
遊技制御基板１３は、筐体１ａの奥面の上方に取り付けられている。遊技制御基板ケース３１の下辺は、リールユニット２の上辺とほぼ同じ高さ位置となるように配置されている。リールユニット２の上方には空間が形成されている。このため、前面扉１ｂを開放した状態において、リールユニット２と筐体１ａの上板との間の空間に手を差し入れることにより店員等が、遊技制御基板ケース３１（図４（Ｂ）参照）や遊技制御基板ケース３１に封入された遊技制御基板１３に対して手で作業を行うことができるようになっている。遊技制御基板１３は、メイン制御部や乱数発生回路などが設けられており、主に遊技の制御を行う。
【００２８】
演出制御基板１４は、前面扉１ｂにおける透視窓３の上方に固定されて取り付けられている。演出制御基板１４は、遊技制御基板１３からの信号等に基づいて、図示しない液晶表示装置に表示する画像の制御、ランプの点灯・点滅制御、スピーカから発する音声の制御等の演出に関する制御を主に行う。
【００２９】
操作部基板１５は、前面扉１ｂにおける透視窓３の下方に固定されて取り付けられている。操作部基板１５は、スロットマシン１におけるＭＡＸベットボタン、精算ボタン、メダルセレクター、リセットセンサ、ドアセンサ、ストップボタン（いずれも不図示）等から供給される各種信号に基づく制御を主に行う。
【００３０】
サブ中継基板１６は、前面扉１ｂにおける演出制御基板１４が取り付けられた位置の右側（前面扉１ｂを閉じた状態では左側）に固定されて取り付けられている。サブ中継基板１６は、主に演出制御基板１４とランプやスピーカなどの各種演出デバイスとの間の信号を中継する基板である。ドア下中継基板１７は、ランプやスピーカなどの各種デバイスの制御を行う基板である。なお、以下の説明においても前面扉１ｂが開いた状態での左右位置を説明し、前面扉１ｂの開閉状態によって左右が逆転することがある。
【００３１】
電源ユニット１１と電源分岐基板１２とは、第１ハーネス２１で接続されている。電源分岐基板１２と遊技制御基板１３とは、第２ハーネス２２で接続されている。電源分岐基板１２と演出制御基板１４とは、第３ハーネスで接続されている。遊技制御基板１３と演出制御基板１４とは第４ハーネスで接続されている。遊技制御基板１３と操作部基板１５とは、第５ハーネス２５で接続されている。演出制御基板１４とサブ中継基板１６とは、第６ハーネス２６で接続されている。サブ中継基板１６とドア下中継基板１７とは、第７ハーネス２７で接続されている。
【００３２】
図３は、第１ハーネスの斜視図である。図３に示すように、第１ハーネス２１は、複数の配線２１Ａを備えている。複数の配線２１Ａは、被覆部材２１Ｘによって覆われている。配線２１Ａの一端側には、第１一端側コネクタ２１Ｂが取り付けられており、配線２１Ａの他端側には、第１他端側コネクタ２１Ｃが取り付けられている。第１一端側コネクタ２１Ｂ及び第１他端側コネクタ２１Ｃは、いずれもオスコネクタである。電源ユニット１１の被接続部には、第１他端側コネクタ２１Ｃが接続される。
【００３３】
第１一端側コネクタ２１Ｂの一側面には、一端側係止爪２１Ｄが設けられており、一端側係止爪２１Ｄは、一端側板バネ２１Ｅの先端に取り付けられている。一端側板バネ２１Ｅには、一端側押込部２１Ｆが設けられており、一端側押込部２１Ｆを押圧することにより、一端側板バネ２１Ｅが撓む。第１他端側コネクタ２１Ｃには、第１一端側コネクタ２１Ｂと同様の他端側係止爪２１Ｇ、他端側板バネ２１Ｈ、及び他端側押込部２１Ｉが設けられている。複数の配線２１Ａは、横方向に広げて全体的に平板状に並べられており、並べられた複数の配線２１Ａの幅は、一端側押込部２１Ｆ及び他端側押込部２１Ｉの幅よりも広くされている。
【００３４】
同様に、第２ハーネス２２〜第７ハーネス２７は、それぞれ配線、第２一端側コネクタ〜第７一端側コネクタ、及び第２他端側コネクタ〜第７他端側コネクタを備えている。第２一端側コネクタ〜第７一端側コネクタ及び第２他端側コネクタ〜第７他端側コネクタには、第１ハーネス２１と同様の係止爪、板バネ、及び押込部が設けられている。
【００３５】
また、筐体１ａの内部には、液晶ユニット、ドア上部ユニット、十字・チャンスボタンユニット、下部パネルユニット、及びスピーカなどが設けられている。リールユニットやこれらの各種ユニットには、各種の基板が設けられており、これらの各種基板には、遊技制御基板１３、演出制御基板１４、サブ中継基板１６、及びドア下中継基板１７等がハーネスを介して適宜接続されている。
【００３６】
図２に示すように、演出制御基板１４には、左第１案内部材５１Ａ及び右第１案内部材５１Ｂが設けられている。左第１案内部材５１Ａ及び右第１案内部材５１Ｂは、いずれも正面視した形状が略Ｌ字形状をなしており、一端部が前面扉１ｂの裏面側に固定され、他端が解放されている。このうちの右第１案内部材５１Ｂを図５（Ａ）に示す。図５（Ａ）は、右第１案内部材５１Ｂで第４ハーネス２４の配線２４Ａを案内する状態の斜視図である。図５（Ａ）に示すように、左第１案内部材５１Ａ及び右第１案内部材５１Ｂは、前面扉１ｂに略平行に配置された１本のロッドと、このロッドを前面扉１ｂに固定して支持する支持体とを備えている。左第１案内部材５１Ａのロッドに第３ハーネス２３の配線２３Ａが引っ掛けられていることにより、左第１案内部材５１Ａは、第３ハーネス２３を上方に案内する。右第１案内部材５１Ｂのロッドに第４ハーネス２４の配線２４Ａが引っ掛けられていることにより、右第１案内部材５１Ｂは、第４ハーネス２４の配線２４Ａを上方に案内する。
【００３７】
前面扉１ｂにおけるドア下中継基板１７の右側には、第２案内部材５２が設けられている。図５（Ｂ）は、第２案内部材５２で第５ハーネス２５の配線２５Ａを案内する状態の斜視図である。図５（Ｂ）に示すように、第２案内部材５２は、長手方向に直交する方向に切った断面が略Ｌ字形状をなしており、一端部が前面扉１ｂの裏面側に固定され、他端が解放されている。前面扉１ｂに略平行に配置された１枚の正面形状が長方形状の板材と、この板材の長辺を前面扉１ｂに固定して支持する支持体とを備えている。第２案内部材５２の板材の下面に第５ハーネス２５の配線２５Ａが引き回されることにより、第２案内部材５２は、第５ハーネス２５の配線２５Ａを下方に案内する。
【００３８】
筐体１ａにおける左側板には、第３案内部材５３が設けられている。図５（Ｃ）は、第３案内部材５３で第５ハーネス２５の配線２５Ａを案内する状態の斜視図である。図５（Ｃ）に示すように、第３案内部材５３は、正面視した形状がリング形状をなしており、両端が筐体１ａの左側板に固定されている。第３案内部材５３は、筐体１ａの左側板に略平行に上下方向を向いて配置された１本のロッドと、このロッドの上端及び下端を筐体１ａの左側板にそれぞれ固定して支持する２本の支持体とを備えている。第３案内部材５３と筐体１ａによって囲まれた開口に、第２ハーネス２２、第４ハーネス２４、及び第５ハーネス２５の配線２２Ａ，２４Ａ，２５Ａを通すことにより、第３案内部材５３は、第２ハーネス２２、第４ハーネス２４、及び第５ハーネス２５を案内する。
【００３９】
電源ユニット１１は、略直方体状をなしており、前後方向及び上下方向に延びるように、いわば立てて載置されている。電源ユニット１１の奥面には、第１ハーネス２１が接続される図示しない被接続部が設けられている。また、電源ユニット１１には、外部から電力の供給を受けるための電源プラグが接続されている。
【００４０】
図４（Ａ）は、電源分岐基板の斜視図である。図４（Ａ）に示すように、電源分岐基板１２の下側には、第１一端側被接続部１２Ａが設けられ、電源分岐基板１２の上側には、第２一端側被接続部１２Ｂ及び第３一端側被接続部１２Ｃが設けられている。第１一端側被接続部１２Ａ、第２一端側被接続部１２Ｂ、及び第３一端側被接続部１２Ｃは、いずれもメスコネクタである。
【００４１】
第１一端側被接続部１２Ａは、第１ハーネス２１の第１一端側コネクタ２１Ｂが嵌まり込む大きさの開口が形成されており、この開口の奥方に図示しない突起部が設けられている。第１ハーネス２１の第１一端側コネクタ２１Ｂを第１一端側被接続部１２Ａの奥方に差し込むと、突起部に一端側係止爪２１Ｄが当接し、一端側板バネ２１Ｅが撓んで一端側係止爪２１Ｄが突起部から逃げる。さらに第１一端側コネクタ２１Ｂを奥方に進入させ、一端側係止爪２１Ｄが突起部を乗り越えると、一端側板バネ２１Ｅの撓みが解消される。その結果、一端側係止爪２１Ｄが突起部に対して係止される。こうして、一端側係止爪２１Ｄと第１一端側被接続部１２Ａの突起部とからなる係止手段は、配線２１Ａと第１一端側被接続部１２Ａとの接続を係止する。第１一端側コネクタ２１Ｂを第１一端側被接続部１２Ａから引き抜こうとしたときに、一端側係止爪２１Ｄが突起部に引っかかり、第１一端側コネクタ２１Ｂの引き抜きを防止する。
【００４２】
こうして、第１ハーネス２１の第１一端側コネクタ２１Ｂは、第１一端側被接続部１２Ａに対して係止される。このとき、第１一端側コネクタ２１Ｂの一端側押込部２１Ｆは、第１一端側コネクタ２１Ｂの上方に配置されている。この状態で一端側押込部２１Ｆを押し込むと、一端側板バネ２１Ｅの撓み、一端側係止爪２１Ｄと突起部の係止状態が解放され、配線２１Ａと第１一端側被接続部１２Ａとの接続の係止が解除される。この状態で第１一端側コネクタ２１Ｂを引き抜くことにより、第１一端側コネクタ２１Ｂが第１一端側被接続部１２Ａから外方に引きに抜かれる。一端側押込部２１Ｆは、一端側係止爪２１Ｄと第１一端側被接続部１２Ａの突起部とからなる係止手段による係止を解除するために操作される解除操作部となる。
【００４３】
また、第２一端側コネクタ２２Ｂの一端側押込部２２Ｆは、第２一端側コネクタ２２Ｂの下方に配置されている。第３一端側コネクタ２３Ｂの一端側押込部２３Ｆは、第３一端側コネクタ２３Ｂの下方に配置されている。また、第１ハーネス２１の第１一端側コネクタ２１Ｂと同様にして、第２ハーネス２２の第２一端側コネクタ２２Ｂは、第２一端側被接続部１２Ｂに係止され、第３ハーネス２３の第３一端側コネクタ２３Ｂは、第３一端側被接続部１２Ｃに係止される。
【００４４】
さらに、電源分岐基板１２には、第１ハーネス２１の配線２１Ａを筐体１ａの右側板に誘導する誘導部材４０が設けられている。第１ハーネス２１の配線２１Ａは、第１一端側コネクタ２１Ｂから上方に向けて延び、第１一端側コネクタ２１Ｂのやや上方で下方に向けて折り返される。折り返された配線２１Ａは、誘導部材４０によって筐体１ａの右側板側に誘導される。誘導部材４０の誘導によって、配線２１Ａは、第１一端側コネクタ２１Ｂの一端側押込部２１Ｆの操作を阻害する位置である一端側押込部２１Ｆを正面から覆う位置に案内される。
【００４５】
第２ハーネス２２の配線２２Ａは、第２一端側コネクタ２２Ｂから下方に向けて延び、第２一端側コネクタ２２Ｂのやや下方で上方に向けて折り返される。折り返された配線２２Ａは、一端側押込部２２Ｆを正面から覆う位置に配置されている。同様に、第３ハーネス２３の配線２３Ａは、第３一端側コネクタ２３Ｂから下方に向けて延び、第３一端側コネクタ２３Ｂのやや下方で上方に向けて折り返される。折り返された配線２３Ａは、一端側押込部２３Ｆを正面から覆う位置に配置されている。こうして、配線２２Ａ、２３Ａは、それぞれ一端側押込部２２Ｆ，２３Ｆの操作を阻害する位置に配置されている。
【００４６】
なお、電源分岐基板１２は、電源分岐基板ケースに封入されていてもよい。この場合、電源分岐基板ケースは、筐体１ａに固定されるベース部と、ベース部を覆う蓋部とを備えており、ベース部に電源分岐基板１２が収容され、ベース部が蓋部で閉じられるようにしてもよい。蓋部は、透明であり、電源分岐基板１２を電源分岐基板ケースの外側から視認可能とされているようにしてもよい。
【００４７】
第１一端側被接続部１２Ａが設けられた位置のベース部と蓋部との接続部分には、下方に向けた開口が形成されていてもよい。この場合、開口を第１ハーネス２１が通過する。第２一端側被接続部１２Ｂ及び第３一端側被接続部１２Ｃが設けられた位置のベース部と蓋部との接続部分には、上方に向けた開口が形成されているようにしてもよい。この場合、開口を第２ハーネス２２及び第３ハーネス２３が通過する。第１ハーネス２１〜第３ハーネスと電源分岐基板１２との接続作業は、電源分岐基板ケースのベース部から蓋部を取り外した状態で行われるようにしてもよい。
【００４８】
また、第１ハーネス２１の配線２１Ａは、第１一端側コネクタ２１Ｂから上方に延びた後、単に折り返されて下方を向いているが、折り返し部分に案内部材を設けて、配線２１Ａを電源ユニット１１側（第１他端側コネクタ２１Ｃ側）に向けて案内し、一端側押込部２１Ｆの操作を阻害する位置に案内するようにしてもよい。第２ハーネス２２及び第３ハーネス２３の配線２２Ａ，２３Ａは、第２一端側コネクタ２２Ｂ及び第３一端側コネクタ２３Ｂからそれぞれ下方に延びた後、単に折り返されて上方を向いているが、折り返し部分に案内部材を設けて、配線２２Ａ，２３Ａを遊技制御基板１３及び演出制御基板１４側（第２他端側コネクタ２２Ｃ側及び第３他端側コネクタ２３Ｃ）に向けて案内し、第２一端側コネクタ２２Ｂ及び第３一端側コネクタ２３Ｂにそれぞれ設けられた一端側押込部２２Ｆ，２３Ｆの操作を阻害する位置に案内するようにしてもよい。
【００４９】
図４（Ｂ）は、遊技制御基板の斜視図である。図４（Ｂ）に示すように、遊技制御基板１３は、略直方体状をなす遊技制御基板ケース３１に封入されている。遊技制御基板ケース３１は、筐体１ａに固定されるベース部３１Ａと、ベース部３１Ａを覆う蓋部３１Ｂと、を備えている。蓋部３１Ｂは、透明であり、遊技制御基板１３を遊技制御基板ケース３１の外側から視認可能とされている。
【００５０】
遊技制御基板１３の左下部には、第５一端側被接続部１３Ａ、第２他端側被接続部１３Ｂ、及び第４一端側被接続部１３Ｃが設けられている。遊技制御基板ケース３１における蓋部３１Ｂの右下部には、凹部３１Ｃが形成されており、第５一端側被接続部１３Ａ、第２他端側被接続部１３Ｂ、及び第４一端側被接続部１３Ｃは、蓋部３１Ｂにおける凹部３１Ｃから遊技制御基板ケース３１の外側に露出している。
【００５１】
また、遊技制御基板１３を封入する遊技制御基板ケース３１には、かしめが設けられている。かしめが設けられていることにより、遊技制御基板１３が遊技制御基板ケース３１に完全に封入された状態となり、遊技制御基板１３に対する不正を防止するようになっている。
【００５２】
図２に示すように、第５一端側被接続部１３Ａには、第５ハーネス２５の第５一端側コネクタ２５Ｂが接続される。第２他端側被接続部１３Ｂ及び第４一端側被接続部１３Ｃには、第２ハーネス２２の第２他端側コネクタ２２Ｃ及び第４ハーネス２４の第４一端側コネクタ２４Ｂがそれぞれ接続される。第５一端側コネクタ２５Ｂ、第２他端側コネクタ２２Ｃ、及び第４一端側コネクタ２４Ｂには、それぞれ押込部が設けられている。これらの押込部は、いずれも第５一端側コネクタ２５Ｂ、第２他端側コネクタ２２Ｃ、及び第４一端側コネクタ２４Ｂの同じ側（上側）に配置されている。第５一端側被接続部１３Ａ、第２他端側被接続部１３Ｂ及び第４一端側被接続部１３Ｃは、いずれもメスコネクタであり、第５一端側コネクタ２５Ｂ、第４一端側コネクタ２４Ｂ、及び第２一端側コネクタ２２Ｂは、いずれもオスコネクタである。
【００５３】
演出制御基板１４は、遊技制御基板１３と同様に、基板ケースに封入されている。このケースは、前面扉１ｂに固定されるベース部と、ベース部を覆う蓋部と、を備えている。蓋部は透明であり、基板ケースの外側から演出制御基板１４を認可能とされている。蓋部の右方には、凹部が形成されており、演出制御基板１４の右方の凹部には、第３他端側被接続部１４Ａ、第４他端側被接続部１４Ｂ、及び第６一端側被接続部１４Ｃが凹部から演出制御基板ケースの外側に露出した状態で設けられている。左第１案内部材５１Ａ及び右第１案内部材５１Ｂは、基板ケースの外側に設けられている。左第１案内部材５１Ａ及び右第１案内部材５１Ｂは、基板ケースの内側に設けられていてもよい。
【００５４】
第３他端側被接続部１４Ａには第３ハーネス２３の第３他端側コネクタ２３Ｃが接続され、第４他端側被接続部１４Ｂには第４ハーネス２４の第４他端側コネクタ２４Ｃが接続され、第６一端側被接続部１４Ｃには第６ハーネス２６の第６一端側コネクタ２６Ｂが接続される。第３他端側被接続部１４Ａ、第４他端側被接続部１４Ｂ、及び第６一端側被接続部１４Ｃは、いずれもメスコネクタであり、第３他端側コネクタ２３Ｃ、第４他端側コネクタ２４Ｃ、及び第６一端側コネクタ２６Ｂは、いずれもオスコネクタである。
【００５５】
操作部基板１５の右側の端部には、第５他端側被接続部１５Ａが設けられている。第５他端側被接続部１５Ａには、第５ハーネス２５の第５他端側コネクタ２５Ｃが接続されている。操作部基板１５は、図示しない操作部基板ケースに封入されている。操作部基板ケースは、前面扉１ｂに固定されるベース部と、ベース部を覆う蓋部とを備えており、ベース部に操作部基板１５が収容され、ベース部が蓋部で閉じられる。蓋部は、透明であり、操作部基板１５を操作部基板ケースの外側から視認可能とされている。第５他端側被接続部１５Ａはメスコネクタであり、第５他端側コネクタ２５Ｃはオスコネクタである。
【００５６】
サブ中継基板１６の右側端部には、第６他端側被接続部１６Ａが設けられている。第６他端側被接続部１６Ａには、第６ハーネス２６の第６他端側コネクタ２６Ｃが接続されている。第６他端側被接続部１６Ａはメスコネクタであり、第６他端側コネクタ２６Ｃはオスコネクタである。
【００５７】
ドア下中継基板１７の右端部には、第７他端側被接続部１７Ａが設けられている。第７他端側被接続部１７Ａには、第７ハーネス２７の第７他端側コネクタ２７Ｃが接続されている。第７他端側被接続部１７Ａはメスコネクタであり、第７他端側コネクタ２７Ｃはオスコネクタである。
【００５８】
次に、第１ハーネス２１〜第７ハーネス２７を流れる電流や信号等について説明する。図２に示すように、第１ハーネス２１は、電源ユニット１１と電源分岐基板１２とを接続しており、電源ユニット１１に供給された電源電流が電源分岐基板１２に移動する際に流れる。第２ハーネス２２は、電源分岐基板１２と遊技制御基板１３とを接続しており、電源分岐基板１２に移動した電流の一部が遊技制御基板１３に移動する際に流れる。第３ハーネス２３は、電源分岐基板１２と演出制御基板１４とを接続しており、電源分岐基板１２に移動した電流の一部が遊技制御基板１３に移動する際に流れる。
【００５９】
第４ハーネス２４は、遊技制御基板１３と演出制御基板１４とを接続しており、遊技制御基板１３から演出制御基板１４に供給される遊技の進行に関する遊技信号が流れる。第５ハーネス２５は、遊技制御基板１３と操作部基板１５とを接続しており、操作部基板１５から遊技制御基板１３に供給される操作関連信号が流れる。第６ハーネス２６は、演出制御基板１４とサブ中継基板１６とを接続しており、演出制御基板１４からサブ中継基板１６に供給される演出に関する演出制御信号が流れる。第７ハーネス２７は、サブ中継基板１６とドア下中継基板１７とを接続しており、サブ中継基板１６からドア下中継基板１７に供給される演出に関する演出制御信号が流れる。
【００６０】
次に、第１ハーネス２１〜第７ハーネス２７の一部は、配線がコネクタの押込部の操作を阻害するように配置されている。以下、その例について説明する。図５（Ａ）に示すように、第４ハーネス２４の第４他端側コネクタ２４Ｃは、演出制御基板１４の第４他端側被接続部１４Ｂに接続されている。配線２４Ａは、第４ハーネス２４の一端における第４一端側コネクタ２４Ｂと遊技制御基板１３の第４一端側被接続部１３Ｃとの接続箇所から、上方を向いて設けられている。また、第４ハーネス２４の第４一端側コネクタ２４Ｂが接続される遊技制御基板１３の第４一端側被接続部１３Ｃ（図２参照）は、遊技制御基板１３の第４一端側被接続部１３Ｃよりも低い位置に配置されている。また、第４ハーネス２４の第４他端側コネクタ２４Ｃに設けられた他端側押込部２４Ｉは、第４他端側コネクタ２４Ｃの上方に配置されている。第４他端側コネクタ２４Ｃは、第４一端側コネクタ２４Ｂと遊技制御基板１３との第４一端側被接続部１３Ｃとの接続箇所に対し、他端側押込部２４Ｉが配置される方向と異なる方向に設けられる所定位置に接続されている。また、第４ハーネス２４の配線２４Ａは、第４他端側コネクタ２４Ｃの他端側押込部２４Ｉの操作を阻害する位置である他端側押込部２４Ｉを正面（奥側）から覆う位置に案内される。なお、ここでの「奥側」は、前面扉１ｂを閉じた状態での方向をいう。右第１案内部材５１Ｂは、第４ハーネス２４における配線２４Ａの第４他端側コネクタ２４Ｃ側を上方に案内し、その先（第４一端側コネクタ２４Ｂ側）を遊技制御基板１３の第４一端側被接続部１３Ｃがある下方に折り返して案内している。
【００６１】
このように、演出制御基板１４における第４他端側コネクタ２４Ｃが接続される第４他端側被接続部１４Ｂの上方において、第４ハーネス２４の配線２４Ａを案内することにより、配線２４Ａを第４他端側コネクタ２４Ｃに設けられた他端側押込部２４Ｉの操作を阻害する位置に案内することができる。このため、例えば、スロットマシン１の外側から不正を企図する者（以下「不正企図者」という）が手や器具などを挿入し、第４ハーネス２４の第４他端側コネクタ２４Ｃを引き抜こうとしても、配線２４Ａによって他端側押込部２４Ｉの操作を阻害することができる。したがって、不正企図者による不正を防止することができる。
【００６２】
また、不正を防止することを目的として、他端側押込部２４Ｉの操作を阻害するために、右第１案内部材５１Ｂによって配線２４Ａを上方（他端側押込部２４Ｉの操作を阻害する位置）に案内したのみであるので、簡素な構成で不正を防止することができる。また、左第１案内部材５１Ａ及び右第１案内部材５１Ｂは、正面視した形状がＬ字形状（略Ｌ字形状）であり、ロッドの一側に支持体が設けられる一方、他側は開放されている。このため、左第１案内部材５１Ａ及び右第１案内部材５１Ｂの開口から第３ハーネス２３及び第４ハーネス２４の配線２３Ａ，２４Ａをロッドに沿ってスライドさせることができるので、左第１案内部材５１Ａ及び右第１案内部材５１Ｂに第３ハーネス２３及び第４ハーネス２４を容易に引っ掛けることができる。なお、左第１案内部材５１Ａ及び右第１案内部材５１Ｂは、その一方または両方が基板ケースの内側に設けられていてもよい。
【００６３】
また、第４ハーネス２４は、遊技制御基板１３から演出制御基板１４に対して、遊技の進行に関する遊技信号が配線２４Ａを流れるハーネスである。このため、例えば第４ハーネス２４の第４他端側コネクタ２４Ｃが第４他端側被接続部１４Ｂから引き抜かれた場合、第４他端側コネクタ２４Ｃが外部の不正な機器に接続され、第４他端側コネクタ２４Ｃに向けて送信される遊技の進行に関する遊技信号が不正に入手されてスロットマシン１の性能など（例えば設定値に関する情報等）が盗まれる懸念がある。この点、第４ハーネス２４の演出制御基板１４から引き抜きが防止されるので、スロットマシン１の性能が盗まれるなどの事態を抑制することができる。
【００６４】
図５（Ｂ）に示すように、第５ハーネス２５は、第５他端側コネクタ２５Ｃが操作部基板１５の第５他端側被接続部１５Ａに接続されている。配線２５Ａは、第５ハーネス２５の第５他端側コネクタ２５Ｃと操作部基板１５の第５他端側被接続部１５Ａとの接続箇所から、下方を向いて設けられている。また、第５ハーネス２５の第５一端側コネクタ２５Ｂが接続される遊技制御基板１３の第５一端側被接続部１３Ａは、操作部基板１５の第５他端側被接続部１５Ａの手前側であり、遊技制御基板１３の第５一端側被接続部１３Ａよりも高い位置に配置されている。また、第５ハーネス２５の第５他端側コネクタ２５Ｃに設けられた他端側押込部２５Ｉは、第５他端側コネクタ２５Ｃの下方に配置されている。このため、第５ハーネス２５の配線２５Ａは、第５他端側コネクタ２５Ｃの他端側押込部２５Ｉの操作を阻害する位置である他端側押込部２５Ｉを正面（下側）から覆う位置に案内される。第２案内部材５２は、第５ハーネス２５における配線２５Ａの第５他端側コネクタ２５Ｃ側を下方に案内し、その先（第５一端側コネクタ２５Ｂ側）を遊技制御基板１３の第５一端側被接続部１３Ａ（図２参照）がある上方に折り返して案内している。また、第５ハーネス２５における他端側押込部２５Ｉは、操作部基板１５の端側を向いて配置されている。このため、第５ハーネス２５を操作部基板１５から正規に取り外す際に、他端側押込部２５Ｉの操作性を高めることができる。
【００６５】
このように、操作部基板１５における第５他端側コネクタ２５Ｃが接続される第５他端側被接続部１５Ａの下方において、第５ハーネス２５の配線２５Ａを案内することにより、配線２５Ａを第５他端側コネクタ２５Ｃに設けられた他端側押込部２５Ｉの操作を阻害する位置に案内することができる。このため、例えば、スロットマシン１の外側から不正企図者が手や器具などを挿入し、第５ハーネス２５の第５他端側コネクタ２５Ｃを引き抜こうとしても、配線２５Ａによって他端側押込部２５Ｉの操作を阻害することができる。したがって、不正企図者による不正を防止することができる。
【００６６】
また、不正を防止することを目的として、他端側押込部２５Ｉの操作を阻害するために、第２案内部材５２によって配線２５Ａを下方（他端側押込部２５Ｉの操作を阻害する位置）に案内したのみであるので、簡素な構成で不正を防止することができる。また、第２案内部材５２は、断面Ｌ字形状（略Ｌ字形状）であり、下側は開口している。このため、第２案内部材５２の下側の開口から第５ハーネス２５の配線２５Ａを板材の下面まで邪魔がない状態で移動させることができるので、第２案内部材５２の板材の下面に第５ハーネス２５を容易に沿わせることができる。
【００６７】
また、第５ハーネス２５は、操作部基板１５から遊技制御基板１３に供給される操作関連信号が配線２５Ａを流れるハーネスである。このため、例えば第５ハーネス２５の第５他端側コネクタ２５Ｃが操作部基板１５の第５他端側被接続部１５Ａから引き抜かれた場合、外部の不正な機器に第５他端側コネクタ２５Ｃが接続され、第５他端側コネクタ２５Ｃから送信される操作部信号に代えて、不正な信号を遊技制御基板１３に送信することができることになり、スロットマシン１から不正にメダルが抜き取られ（メダルの払出が強要され）たり、不正のクレジット数を増加させられるなどの懸念がある。この点、第５ハーネス２５の操作部基板１５から引き抜きが防止されるので、スロットマシン１から不正にメダルが抜き取られるなどの事態を抑制することができる。
【００６８】
図５（Ｃ）に示すように、第５ハーネス２５は、第５一端側コネクタ２５Ｂが遊技制御基板１３の第５一端側被接続部１３Ａに接続されている。配線２５Ａは、第５ハーネス２５の第５一端側コネクタ２５Ｂと遊技制御基板１３の第５一端側被接続部１３Ａとの接続箇所から、上方を向いて設けられている。また、第５ハーネス２５の第５他端側コネクタ２５Ｃが接続される操作部基板１５の第５他端側被接続部１５Ａ（図２参照）は、操作部基板１５の第５他端側被接続部１５Ａよりも高い位置に配置されている。また、第５ハーネス２５の第５一端側コネクタ２５Ｂに設けられた一端側押込部２５Ｆは、第５一端側コネクタ２５Ｂの上方に配置されている。このため、第５ハーネス２５の配線２５Ａは、第５一端側コネクタ２５Ｂの一端側押込部２５Ｆの操作を阻害する位置である一端側押込部２５Ｆを正面（手前側）から覆う位置に案内される。第３案内部材５３は、第５ハーネス２５における配線２５Ａの第５一端側コネクタ２５Ｂ側を上方に案内し、その先（第５他端側コネクタ２５Ｃ側）を操作部基板１５の第５他端側被接続部１５Ａがある下方に折り返して案内している。
【００６９】
このように、遊技制御基板１３における第５一端側コネクタ２５Ｂが接続される第５一端側被接続部１３Ａの上方において、第５ハーネス２５の配線２５Ａを案内することにより、配線２５Ａを第５一端側コネクタ２５Ｂに設けられた一端側押込部２５Ｆの操作を阻害する位置に案内することができる。このため、例えば、スロットマシン１の外側から不正企図者が手や器具などを挿入し、第５ハーネス２５の第５一端側コネクタ２５Ｂを引き抜こうとしても、配線２５Ａによって一端側押込部２５Ｆの操作を阻害することができる。したがって、不正企図者による不正を防止することができる。
【００７０】
また、不正を防止することを目的として、一端側押込部２５Ｆの操作を阻害するために、第３案内部材５３によって配線２５Ａを上方（一端側押込部２５Ｆの操作を阻害する位置）に案内したのみであるので、簡素な構成で不正を防止することができる。また、第３案内部材５３は、正面視してリング形状（略リング形状）であり、中央が大きく開口している。このため、第３案内部材５３の中央に第５ハーネス２５の配線２５Ａを容易に通すことができる。
【００７１】
また、例えば第５ハーネス２５の第５一端側コネクタ２５Ｂが遊技制御基板１３の第５一端側被接続部１３Ａから引き抜かれた場合、第５一端側被接続部１３Ａに対して、他の不正なハーネスなどが接続され、不正な信号を遊技制御基板１３に送信することができることになり、スロットマシン１から不正にメダルが抜き取られ（メダルの払出が強要され）たり、不正のクレジット数を増加させられるなどの懸念がある。この点、第５ハーネス２５の遊技制御基板１３から引き抜きが防止されるので、スロットマシン１から不正にメダルが抜き取られるなどの事態を抑制することができる。
【００７２】
上記の構成を有するスロットマシン１においては、ハーネスにおける配線は、コネクタと非操作部の接続箇所から押込部の操作を阻害する位置に案内されている。このため、不正企図者がコネクタの押込部を不正に操作しようとしても、ハーネスの配線が不正な操作の邪魔となるので、押込部の不正な操作を阻害することができる。したがって、不正な操作を防止することができる。また、配線は単に押込部を阻害する位置に案内されているのみであるので、簡素な構成で不正な操作を防止することができる。
【００７３】
上記の実施形態において、各案内部において配線を案内するにあたり、ハーネスの接続先となる基板等とコネクタに設けられた押込部のと関係において、ハーネスの接続先となる基板は、押込部が設けられた側とは異なる側に配置されている。例えば、図５（Ａ）に示すように、演出制御基板１４に接続される第４ハーネス２４の第４他端側コネクタ２４Ｃに他端側押込部２４Ｉが上側を向いて設けられているのに対して、図２に示すように、第４ハーネス２４の第４一端側コネクタ２４Ｂが接続される遊技制御基板１３は、第４他端側コネクタ２４Ｃの下方に位置している。このため、単純に演出制御基板１４と遊技制御基板１３を第４ハーネス２４で接続しようとすると、第４ハーネス２４は、演出制御基板１４から遊技制御基板１３に向けて、下降する形で取り付けられることになり、他端側押込部２４Ｉは配線２４Ａに隠されることはないようになる。この点、右第１案内部材５１Ｂによって、第４他端側被接続部１４Ｂに接続された配線２４Ａを一旦他端側押込部２４Ｉ側の他端側押込部２４Ｉの操作を阻害する位置に案内している。したがって、簡素な構成で不正な操作を防止することができる。
【００７４】
また、上記のスロットマシン１では、ハーネスの配線を案内する案内部材を設けている。この案内部材を用いてハーネス（配線）を案内するので、ハーネス（配線）を容易に案内することができる。したがって、例えばスロットマシン１を製造し、または遊技店に設置する際に、ハーネスの引き回しなどを容易に行うことができる。
【００７５】
また、上記のスロットマシン１において、ハーネスにおける配線の幅、例えば、第１ハーネス２１における複数の配線２１Ａが並べられたときの幅は、押込部、例えば、一端側押込部２１Ｆ及び他端側押込部２１Ｉの幅よりも広くされている。このため、押込部の操作を阻害する位置に配線を配置したときに、配線によって押込部を広い範囲、例えば全体的に隠すことができる。したがって、押込部の操作をより強く阻害することができるので、より好適に不正を防止することができる。
【００７６】
また、上記のスロットマシン１において、ハーネスのコネクタに取り付けられた押込部、例えば第５ハーネス２５の第５他端側コネクタ２５Ｃに設けられた他端側押込部２５Ｉは、基板の端側、例えば、操作部基板１５の端側を向いて配置されている。このため、ハーネスを基板から正規に取り外す際に、押込部の操作性を高めることができる。
【００７７】
また、上記のスロットマシン１において、基板等に接続された複数のハーネスにおける各押込部材、例えば、遊技制御基板１３に接続された第５一端側コネクタ２５Ｂ、第２他端側コネクタ２２Ｃ、及び第４一端側コネクタ２４Ｂに設けられた押込部は、いずれも同じ側（上側）に配置されている。このため、これらの押込部を隠す第５ハーネス２５、第２ハーネス２２、第４ハーネス２４の配線２５Ａ，２２Ａ，２４Ａが同じ方向を向いているので、各押込部の操作をより強く阻害することができるので、より好適に不正を防止することができる。
【００７８】
（他の実施形態）
次に、本発明の他の実施形態について説明する。図６は、ハーネスと基板との接続態様の他の例を示す斜視図である。図６に示すように、この実施形態に係るスロットマシンでは、第１基板６０と第２基板７０がハーネス８０で接続されている。第１基板６０には、第１被接続部６１が設けられ、第２基板７０には、第２被接続部７１が設けられている。第１基板６０及び第２基板７０は、例えば筐体における一面に縦方向に並んで取り付けられ、第２基板７０は、第１基板６０の上方に配置されている。
【００７９】
ハーネス８０は、配線８１と、一端側コネクタ８２と、他端側コネクタ８３と備えている。ハーネス８０は、複数の配線８１を備えており、複数の配線８１は、平板状に並んで配置されている。一端側コネクタ８２は、第１基板６０における第１被接続部６１に接続され、他端側コネクタ８３は、第２基板７０における第２被接続部７１に接続されている。また、一端側コネクタ８２には、上記の実施形態と同様の一端側押込部８４が設けられ、その他、係止部及び板バネが設けられている。同様に、他端側コネクタ８３には、上記の実施形態と同様の他端側押込部８５が設けられ、その他、係止部及び板バネが設けられている一端側押込部８４は、一端側コネクタ８２の下側に設けられ、他端側コネクタ８３が接続される第２基板７０とは異なる側に設けられている。他端側押込部８５は、他端側コネクタ８３の上側に設けられており、一端側コネクタ８２が接続される第１基板６０とは異なる側に設けられている。
【００８０】
さらに、第１基板６０には、ハーネス８０の一端側コネクタ８２と第１基板６０の第１被接続部との接続箇所から配線８１をを上方に案内する案内溝６２が複数設けられている。案内溝６２は、第１基板６０における筐体側の面に設けられている。案内溝６２は、配線８１の形状に合わせた断面形状で設けられている。このため、複数に配線８１は、それぞれ案内溝６２に嵌まり込み、第１基板６０と筐体の一面との間を通って第２基板７０の方向に案内される。
【００８１】
ハーネス８０の配線８１は、案内溝６２に案内され、一端側コネクタ８２から下方に向けて延び、一端側コネクタ８２のやや下方で上方に向けて折り返される。折り返された配線８１は、一端側係止爪を正面から覆う位置に配置される。こうして、配線８１は、一端側コネクタ８２の一端側押込部８４の操作を阻害する位置に配置されている。
【００８２】
上記の構成を有するこの実施形態のスロットマシンでは、上記の実施形態と同様の作用効果を奏する。例えば、不正企図者がコネクタの押込部を不正に操作しようとしても、ハーネスの配線が不正な操作の邪魔となり、押込部の不正な操作を阻害することができるので、不正な操作を防止することができるという効果を奏する。
【００８３】
また、この実施形態のスロットマシンでは、第１基板６０と筐体の一面との間、いわば第１基板６０の裏側を通して配線８１を第２基板７０側に案内している。例えば、第１基板６０の表側を通して第２基板７０側に配線８１を案内する場合、一端側コネクタ８２から延びる配線８１を上方に案内することになり、押込部の操作を阻害する位置に配置されることなく、第２基板７０側に案内される。この実施形態のスロットマシンでは一端側コネクタ８２から延びる配線８１を第１基板６０の裏側に案内することにより、押込部の操作を阻害する位置に配線８１を案内することができる。したがって、押込部の操作を阻害する位置に配線８１を容易に配置することができる。
【００８４】
また、配線８１は、案内溝６２によって第２基板側に案内されている。このため、押込部の操作を阻害する位置に配線８１をより容易に配置することができる。さらに、複数の配線８１は、それぞれ案内溝６２は、嵌まり込んで第２基板７０の方向に案内されている。このため、配線８１の揺れなどを抑えた状態で配線８１を案内することができる。
【００８５】
なお、この実施形態においても、上記のスロットマシン１における左第１案内部材５１Ａ、右第１案内部材５１Ｂ、第２案内部材５２、及び第３案内部材と同様の案内部材を設けて配線８１を第２基板側に案内するようにしてもよい。また、配線８１を案内するにあたって、案内溝６２を設けないようにしてもよいし、案内溝として配線が嵌まり込まないほど幅広の案内溝を設けるようにしてもよい。
【００８６】
なお、今回開示された実施の形態はすべての点で例示であって制限的なものではないと考えられるべきである。本発明の範囲は上記した説明ではなく特許請求の範囲によって示され、特許請求の範囲と均等の意味及び範囲内でのすべての変更が含まれることが意図される。
【００８７】
上記の実施形態では、左右第１案内部材５１Ａ，５１Ｂの正面視した形状が略Ｌ字形状、第２案内部材５２の断面形状が略Ｌ字形状、第３案内部材５３の正面視した形状がリング形状であるが、その他の形状でもよい。例えば、板材を基板（基板ケース）や筐体などに固定したものでもよいし、かぎ状（フック状）のものでもよいし、コ字形状でもよい。また、左右第１案内部材５１Ａ，５１Ｂ、第２案内部材５２、第３案内部材５３の形状を適宜入れ替えるようにしてもよい。
【００８８】
上記の第１ハーネス２１〜第７ハーネス２７は、いずれもスロットマシン１の内部の基板やユニット同士を接続しているが、スロットマシン１内における他の部材、例えばセンサやソレノイド、液晶表示装置や可動役物など同士やこれらと基板などとを接続するものでもよい。また、ハーネスは、スロットマシン１の外部の装置、例えばホールに設けられるホールコンピュータなどに接続されるものでもよい。
【００８９】
上記の第１ハーネス２１〜第７ハーネス２７では、両端にコネクタが設けられ、それぞれのコネクタに係止部や押込部などが設けられているが、一方のコネクタには係止部や押込部が設けられていなくてもよい。また、第１ハーネス２１〜第７ハーネス２７には、配線を複数本設けられているが、単数でもよい。また、複数の配線を設ける場合に、各配線の太さや色などは異なるものであってもよい。また、第１ハーネス２１〜第７ハーネス２７では、配線の幅が押込部の幅よりも広くされているが、配線部の幅と同等あるいは配線部の幅よりも狭くてもよい。
【００９０】
上記の第１ハーネス２１〜第７ハーネス２７において、配線に流れる対象は電源電流または各種信号であるが、他の対象物が配線を流れるようにしてもよい。また、第１ハーネス２１〜第７ハーネス２７に設けられているコネクタは、いずれもオスコネクタであるが、メスコネクタであってもよく、この場合、基板等に設けられている被接続部は、オスコネクタであればよい。あるいは、コネクタと被接続部は、突起を凹部に差し込むオスメス方式のコネクタ以外のコネクタでもよい。
【００９１】
また、コネクタに設けられる操作解除部は、係止爪を押し込む押込み部であるが、店員等の操作によって係止が解除されるものであれば、他の形式の操作解除部でもよい。例えば、係止爪を引き抜くために摘む摘みであってもよいし、電気式スイッチによって係止状態が形成される係止部材のスイッチであってもよい。
【００９２】
また、左右第１案内部材５１Ａ，５１Ｂ、第２案内部材５２、第３案内部材５３は、筐体１ａ内で露出した状態で設けられているが、カバー（ケース）に収容されていてもよい。この場合、案内部材は、基板を封入する基板ケースに基板とともに収容されていてもよいし、案内部材を収容する収容ケースに収容されていてもよい。このように、案内部材がカバー（ケース）に収容されていることにより、不正企図者による不正の防止に寄与することができる。
【００９３】
また、上記の実施形態では、遊技制御基板１３と演出制御基板１４を接続する第４ハーネス２４の演出制御基板１４側、及び遊技制御基板１３と操作部基板１５を接続する第５ハーネス２５の遊技制御基板１３側及び操作部基板１５側に案内部材を設けているが、他のハーネスの端部側に案内部材を設け、これらのハーネスのコネクタに設けられた押込部の操作を阻害するようにしてもよい。
【００９４】
例えば、第１ハーネス２１のコネクタが電源ユニット１１または電源分岐基板１２から引き抜かれると、各基板に対する給電が停止し、給電が停止している間に、遊技制御基板１３や演出制御基板１４等の基板を正規の基板から非正規の基板に不正に交換しやすくなる。この点、第１ハーネス２１のコネクタに設けられた押込部の操作を阻害する位置に第１ハーネス２１の配線２１Ａが案内されることにより、第１ハーネス２１が引き抜かれて各基板への給電が停止する事態を防止することができ、基板の不正な交換などを抑制することができる。
【００９５】
また、第２ハーネス２２のコネクタが電源分岐基板１２または遊技制御基板１３から引き抜かれた場合には、遊技制御基板１３に対する給電の停止の原因となり、遊技制御基板１３の不正な交換を行いやすくなるが、第２ハーネス２２のコネクタに設けられた押込部の操作を阻害する位置に第２ハーネス２２の配線２２Ａが案内されることにより、第２ハーネス２２が引き抜かれて遊技制御基板１３への給電が停止する事態を防止することができ、遊技制御基板１３の不正な交換などを抑制することができる。
【００９６】
第３ハーネス２３のコネクタが電源分岐基板１２または演出制御基板１４から引き抜かれた場合には、演出制御基板１４に対する給電の停止の原因となり、演出制御基板１４の不正な交換を行いやすくなるが、第３ハーネス２３のコネクタに設けられた押込部の操作を阻害する位置に第３ハーネス２３の配線２３Ａが案内されることにより、第３ハーネス２３が引き抜かれて演出制御基板１４への給電が停止する事態を防止することができ、演出制御基板１４の不正な交換などを抑制することができる。
【００９７】
また、操作解除部の操作を阻害する位置は、不正企図者が押込部に対して押込操作を行う際に、不正企図者と操作解除部の間に介在する位置であれば、どの位置でもよい。具体的には、操作解除部に近い前側の位置でもよいし、操作解除部から少し離れてはいるが、操作解除部の周囲の位置であればよい。また、不正企図者の位置と操作解除部の位置との関係で操作解除部の操作を阻害する位置を規定してもよい。例えば、不正企図者が前面扉１ｂを開放した正面側から不正企図を行う場合には、スロットマシン１の前面側と操作解除部とをつなぐ線上のいずれの位置もが操作解除部の操作を阻害する位置となる。また、不正企図者は、スロットマシン１の前面のほか、例えば、メダルの投入口や払出口、前面扉１ｂをわずかに開いた前面扉１ｂと筐体１ａの間の隙間、筐体１ａの裏側（スロットマシン１の裏側）、筐体１ａに設けられたねじ穴などから不正企図を行うことが考えられる。これらの位置と操作解除部の位置関係、例えば、これらの位置の操作解除部の間を操作解除部の操作を阻害する位置と考えてもよい。
【００９８】
［パチンコ遊技機、雀球、アレパチなどの遊技機について］
上記の各基板及び電源ユニット、さらにはこれらを接続するハーネスは、パチンコ遊技機、雀球、アレパチなどの遊技機に適用してもよい。雀球、アレパチなどの遊技機とは、所定数、例えば１６個の遊技球を打ち出し、入球した領域（麻雀牌を模した記号や番号が付された領域）によって、払い出される遊技球数が決められる遊技機である。このようなパチンコ遊技機、雀球、アレパチなどの遊技機において、上記の各基板及び電源ユニット、さらにはこれらを接続するハーネスが設けられることにより、簡易な構成で不正を防止することができる。
【００９９】
次に、前述した実施の形態により得られる主な効果を説明する。
（１１）本発明の遊技機は、遊技を行う遊技機（例えば、スロットマシン１等）であって、
配線（例えば、配線２４Ａ等）と、
前記配線の一端（例えば、第４一端側コネクタ２４Ｂ等）が接続される被接続部（例えば、演出制御基板１４の第４他端側被接続部１４Ｂ等）と、
前記配線と前記被接続部の接続を係止する係止手段（例えば、他端側係止爪及び第４他端側被接続部１４Ｂに設けられた突起等）と、
前記係止手段による係止を解除するために操作される解除操作部（例えば、他端側押込部２４Ｉ等）と、を備え、
前記配線の他端（例えば、第４一端側コネクタ２４Ｂ等）は、前記配線の一端と前記被接続部との接続箇所（例えば、第４一端側コネクタ２４Ｂと第４他端側被接続部１４Ｂとの接続箇所等）に対し、前記操作解除部が配置される方向と異なる方向に設けられる所定位置（例えば、演出制御基板１４の第４他端側被接続部１４Ｂから見て、他端側押込部２４Ｉが配置された側と異なる方向に設けられた遊技制御基板１３の第４一端側被接続部１３Ｃ等）に接続されており、
前記配線は、前記接続箇所から前記解除操作部の操作を阻害する位置に案内されている（例えば、第４一端側コネクタ２４Ｂと第４他端側被接続部１４Ｂとの接続箇所から他端側押込部２４Ｉ側に向けて案内されている等）ことを特徴とする。
【０１００】
このような構成によれば、簡素な構成で不正を防止できる。
【０１０１】
（１２）上記（１１）に記載の遊技機において、前記配線を前記接続箇所から前記解除操作部側に案内する案内部（例えば、左第１案内部材５１Ａ、右第１案内部材５１Ｂ、第２案内部材５２、第３案内部材５３等）が設けられていてもよい。
【０１０２】
このような構成によれば、簡素な構成で不正を防止できる。
【０１０３】
（１３）上記（１１）または（１２）の遊技機において、前記配線は、電源電流（例えば、第１ハーネス２１を流れる電源電流等）及び遊技進行に用いる信号（例えば、第４ハーネス２４を流れる遊技の進行に関する遊技信号、第５ハーネス２５を流れる操作関連信号等）の少なくとものいずれか一方を伝達するようにしてもよい。
【０１０４】
このような構成によれば、簡素な構成で不正を防止できる。
【０１０５】
（１４）上記（１１）〜（１３）のいずれかの遊技機において、前記係止手段は、カバー（例えば、遊技制御基板１３を封入する遊技基板ケース、演出制御基板１４を封入する基板ケース、左第１案内部材５１Ａ、右第１案内部材５１Ｂ、第２案内部材５２、第３案内部材５３を収容するカバー等）によって覆われているようにしてもよい。
【０１０６】
このような構成によれば、解除操作がしにくくなり、不正を防止できる。
【０１０７】
（１５）上記（１１）〜（１４）のいずれかの遊技機において、前記配線の幅は、前記操作解除部の幅よりも広くされている（例えば、横方向に広げて全体的に平板状に並べられた複数の配線２１Ａの幅は、一端側押込部２１Ｆ及び他端側押込部２１Ｉの幅よりも広くされている等）ようにしてもよい。
【０１０８】
このような構成によれば、解除操作部が全体的に配線に隠されるので、不正を好適に防止できる。
【０１０９】
（１６）上記（１１）〜（１５）のいずれかの遊技機において、前記解除操作部は、前記配線が接続された基板の端側を向いて配置されている（例えば、第５ハーネス２５における他端側押込部２５Ｉは、操作部基板１５の端側を向いて配置されている等）ようにしてもよい。
【０１１０】
このような構成によれば、操作性を高めることができる。
【０１１１】
（１７）上記（１１）〜（１６）のいずれかの遊技機において、前記被接続部が複数設けられた基板を備え、
前記被接続部に接続される複数の配線のそれぞれにおける複数の解除操作部は、いずれも同じ側に配置されている（例えば、遊技制御基板１３に接続された第５一端側コネクタ２５Ｂ、第２他端側コネクタ２２Ｃ、及び第４一端側コネクタ２４Ｂに設けられた一端側押込部は、いずれも同じ側（上側）に配置されている等）ようにしてもよい。
【０１１２】
このような構成によれば、簡素な構成で不正を防止できる。
【符号の説明】
【０１１３】
１  スロットマシン
１ａ  筐体
１ｂ  前面扉
２  リールユニット
３  透視窓
４  ホッパーユニット
５  オーバーフロータンク
１１  電源ユニット
１２  電源分岐基板
１３  遊技制御基板
１４  演出制御基板
１５  操作部基板
１６  サブ中継基板
１７  ドア下中継基板
２１  第１ハーネス
２１Ａ  配線
２１Ｂ  第１一端側コネクタ
２１Ｃ  第１他端側コネクタ
２１Ｄ  一端側係止爪
２１Ｆ  一端側押込部
２１Ｇ  他端側係止爪
２１Ｉ  他端側押込部
２２  第２ハーネス
２３  第３ハーネス
２４  第４ハーネス
２５  第５ハーネス
２６  第６ハーネス
２７  第７ハーネス
４０  誘導部材
５１Ａ  左第１案内部材
５１Ｂ  右第１案内部材
５２  第２案内部材
５３  第３案内部材
【図１】
2019126631.tif 000003
【図２】
2019126631.tif 000004
【図３】
2019126631.tif 000005
【図４】
2019126631.tif 000006
【図５】
2019126631.tif 000007
【図６】
2019126631.tif 000008